(57)【要約】【課題】従来知られている縦形ポンプ付き容器体を利用する、ポンプ式液体塗布容器を提案する。【解決手段】頂壁３２に穿設した注出孔３３周縁からステム嵌合筒３４を、かつ頂壁３２外周から下端面開口の筒体３５を垂下するカバー筒３１内へ、シリンダ１２内からステム２０を上方付勢させて起立する縦形ポンプ１１を容器体１上部内へ装着させて設けた縦形ポンプ付き容器体を、上記ステム嵌合筒３４内へステム２０上部を嵌着させて内装させ、上記頂壁３２上面を塗布面３６とした。【選択図】　図１
2004091005.tif 000002
【特許請求の範囲】
【請求項１】
シリンダ内から上方付勢させてステムを起立する縦形ポンプを、容器体上部内へ装着させておき、上記縦形ポンプ付きの容器体を嵌着させるカバー筒を設け、カバー筒は、頂壁と頂壁外周から下端面開口の筒体を垂下させて形成し、頂壁に穿設した注出孔周縁からステム嵌合筒を垂下し、ステムに対して容器体を押上げ可能に装着させ、上記頂壁上面を塗布面に形成した
ことを特徴とする、ポンプ式液体塗布容器。
【請求項２】
上記容器体の底壁下面と、上記カバー筒の下端面とを容器正立時の接地面とすると共に、カバー筒の下端一部を容器体押上げ用の切欠き部とした
ことを特徴とする、請求項１記載のポンプ式液体塗布容器。
【請求項３】
頂板の外周から周壁を垂下するキャップを設けて、周壁をカバー筒の筒体の上部外面へ着脱自在に嵌合させた
ことを特徴とする、請求項１又は２記載のポンプ式液体塗布容器。
【発明の詳細な説明】
【０００１】
【発明の属する技術分野】
本発明はポンプ式の液体塗布容器に関する。
【０００２】
【従来の技術】
従来多数種数の液体塗布容器が知られており、例えば容器体口部へ吸水性の塗布材を装着させておき、容器体を倒し、上記塗布材へ給水させて、その塗布材により塗布するよう設けた塗布容器が広く普及している。
【０００３】
【発明が解決しようとする課題】
本発明は上記のような従来の塗布容器をポンプ式として塗布面への液体供給が容易とすることを目的とする。
【０００４】
【課題を解決するための手段】
第１の手段として、シリンダ内から上方付勢させてステムを起立する縦形ポンプを、容器体上部内へ装着させておき、上記縦形ポンプ付きの容器体を嵌着させるカバー筒を設け、カバー筒は、頂壁と頂壁外周から下端面開口の筒体を垂下させて形成し、頂壁に穿設した注出孔周縁からステム嵌合筒を垂下し、ステムに対して容器体を押上げ可能に装着させ、上記頂壁上面を塗布面に形成した。
【０００５】
第２の手段として、上記第１の手段を有すると共に、上記容器体の底壁下面と、カバー筒の下端面とを容器正立時の接地面とすると共に、カバー筒の下端一部を容器体押上げ用の切欠き部とした。
【０００６】
第３の手段として、上記第１又は第２の手段を有すると共に、頂板の外周から周壁を垂下するキャップを設けて、周壁をカバー筒の筒体の上部外面へ着脱自在に嵌合させた。
【０００７】
【発明の実施の形態】
以下図面について説明すると、１は胴部２上端から肩部３を介して口頸部４を起立する容器体である。その口頸部は通常容器体よりも長く、かつ上下同径に形成しており、その中間部よりも上方部分外面には雄ねじを付設している。
【０００８】
上記容器体内へは公知の縦形ポンプ１１を装着させている。該縦形ポンプを簡単に説明すると、１２は下端部から吸上げパイプ１３を垂下するシリンダで、該シリンダ上部に付設した外向きフランジ１４を容器体口頸部の上端面へ載置させて容器体内へ垂下させている。
【０００９】
１５は装着筒で、容器体口頸部外面へ螺合させた筒部１６上端から内向きフランジ１７を介して内外二重筒１８を起立させ、その内筒と外筒との間にシリンダ上端部を嵌着させている。又既述シリンダ内からはスプリング１９で上方付勢させてステム２０を起立する。該ステムは上記内外二重筒１８の内筒を通って装着筒１５上方へ起立させている。該縦形ポンプは、ステム２０の下降でシリンダ内液体が吐出弁およびステム内を通って噴出され、又該ステムが上昇することで、シリンダ底部に設けた吸込み弁が閉じて容器体内液体が吸上げパイプ１３を通ってシリンダ１２内へ吸込みされるよう設けている。それ等吸込み弁と吐出弁とは公知のようにどのように形成してもよく、図示例ではシリンダの底部内面とシリンダ内へ設けたポペット２１下端面とで吸込み弁を形成し、又ステム２０の下部に穿設した吐出弁孔２２と該ステム部分外面へ上下動可能に嵌合させた筒状ピストン２３とで吐出弁を形成し、上記ポペット上部は小外径として、ステム２０の下部内面へ一定ストロークだけ連動可能に嵌合させている。尚上記縦形ポンプ付き容器体、特に縦形ポンプ１１は、従来使用されている縦形ポンプ式液体噴出器、例えば噴霧器のステム上端に嵌合させているノズル付き押下げヘッドを取外した構造と同じでよい。
【００１０】
上記縦形ポンプ付きの容器体を、カバー筒３１内へ装着させる。該カバー筒は、頂壁３２中央部に注出孔３３を有し、該注出孔を囲んでステム嵌合筒３４を垂下する。又頂壁３２外周からは下端面開口の筒体３５を垂下する。カバー筒頂壁はその一半部を球面状の弯曲面として該弯曲面および頂壁上面の水平面部分を塗布面３６としており、又カバー筒の筒体３５上部下端に外向きフランジ３７を周設し、該外向きフランジよりも上方筒部分の下部を後述キャップ螺合用雄ねじ筒部３８とし、かつ外向きフランジ下方筒部分を容器体下端面と同じ位置まで垂下させている。
【００１１】
上記カバー筒３１内へ、既述縦形ポンプ付き容器体１を、ステム２０上部をステム嵌合筒３４内へ緊密に、好ましくは容易に抜出しすることがないよう嵌着させて内装させる。カバー筒３１に対して縦形ポンプ付き容器体１は、ステム２０を除いて上下動可能であり、その上昇により縦形ポンプが作動してシリンダ内液体がステム２０を通って注出孔３３から注出可能であり、又その下降によりシリンダ内へ容器体内液体が流入可能としておく。
【００１２】
カバー筒３１の下端面と容器体１の下端面、図示例にあっては底壁５の外周部下面とは同一平面上に位置するよう設けて、図示のように容器正立時にあっては共に接地面となるよう設けるが、カバー筒下端面の一部、図示例ではその一半部を切欠きして、容器体底面押下げ用の切欠き部３９としている。
【００１３】
４１はキャップで、頂板４３下面へ注出孔３３の外周部上面へ圧接させてその注出孔３３を閉塞するシール突条４２を周設し、かつ頂板４３外周からカバー筒３１の上部外面へ嵌合させる周壁４４を垂設する。該キャップはその周壁下部をやや大外径化させて、該大外径化部分をカバー筒の雄ねじ筒部３８外面へ螺合させ、その下端面を外向きフランジ３８上面へ近接させている。
【００１４】
上記構成において、図示状態からまずキャップ４１を外し、カバー筒３１を介して容器体１を持ち上げ、例えば塗布面３６と共に注出孔３３上面を被塗布部に押付けたまま容器体底壁５を押し込むとシリンダ１２内液体は注出孔３３から流出するから、塗布面３６を被塗布部分に沿い摺動させることで塗布することが出来る。塗布終了後はキャップ４１を施蓋させておく。
【００１５】
尚既述各部材の殆どは適宜合成樹脂材で成形している。カバー筒の下方筒部は、該下方筒部分を介して容器体胴部２を握持できるよう、弾性変形可能としてもよい。
【００１６】
【発明の効果】
本発明は既述構成とするもので、請求項１記載の縦形ポンプ付きの容器体は、従来知られている縦形ポンプ式噴霧容器等から、ノズル付きの押下げヘッドをステム上端から外したものとほぼ同じでよく、よって従来の噴霧容器等に使用されている縦形ポンプ付き容器体を本発明塗布容器の縦形ポンプ付き容器体として使用でき、又量産効果によりその縦形ポンプ付き容器体は廉価に生産できることとなり、又カバー筒３１は簡易な構成であるため、塗布容器全体としても廉価とすることが出来、カバー筒３１に対して容器体下面を押上げするだけで収納液体を注出できるから、その注出操作も容易である。
【００１７】
請求項２記載のように、容器体底面とカバー筒下端面とを共に容器正立時の接地面とすることで、該容器正立時においてステム嵌合筒３４内からステム２０が抜け落ちするようなことがなく、又カバー筒下端一部を容器体押上げ用の切欠き部３９とすることで、カバー筒３１に対する容器体押上げが容易となる。又カバー筒が容器体底面位置まで形成され、且つ、切り欠き部３９の形状にすることにより、持ち運び時および携帯時に誤ってポンプが押し上げられることを防ぐことができ、液が吐出したり、ステムが抜け落ちることが軽減され、且つ、注出操作が可能である。
【００１８】
請求項３のようにすることで、注出孔３３内への埃付着等を防止でき、又塗布面３６を清潔に保つことが出来る。
【図面の簡単な説明】
【図１】一部を切欠いて示す、本発明塗布容器の側面図である。
【符号の説明】
１…容器体　　　　　　　　　　　　　　　　　　　　１１…縦形ポンプ
３１…カバー筒　　　　　　　　　　　４１…キャップ
【図１】
2004091005.tif 000003